(57)【特許請求の範囲】
【請求項１】
所定の回転軸を中心として回転操作可能に操作パネルに設けられるとともに、その回転操作時に径方向外側から把持される操作部が形成されているボタンベース部と、
前記ボタンベース部の操作部の外周面を覆うように、前記ボタンベース部と異なる材料で、かつ、前記ボタンベース部より柔軟な材料によって形成され、回転操作時に滑り止めとして機能するリング部と、
前記回転軸方向に沿った前記ボタンベース部の前記操作部および前記リング部の一方端側を覆うように配置された天面部とを備え、
前記ボタンベース部は、実質的に光透過性を有しない材料によって形成され、そのボタンベース部の前記操作部は、前記回転軸を中心とする略円筒形状に形成され、
前記リング部は、前記操作部の径方向外側に配置され、前記回転軸を中心とする略円筒形状に形成されているとともに、実質的に光透過性を有しない材料によって前記操作部に対して固着するように前記ボタンベース部と一体成形され、
前記天面部は、光透過性を有する材料によって前記ボタンベース部および前記リング部とは別体に形成され、前記リング部の前記天面部側の端面に密着するように設けられている、ダイアルボタン。
【請求項２】
前記ボタンベース部または前記リング部の一方を成形した後、その一方の上に接触するように前記ボタンベース部または前記リング部の他方の材料を導入するとともに、その導入した材料を用いて前記ボタンベース部または前記リング部の他方を成形することによって得られる、請求項１に記載のダイアルボタン。
【請求項３】
前記ボタンベース部の操作部は、前記リング部より厚肉に形成されている、請求項１または２に記載のダイアルボタン。
【請求項４】
請求項１に記載のダイアルボタンの製造方法であって、
実質的に光透過性を有しない材料による前記ボタンベース部の成形と前記ボタンベース部の材料よりも柔軟で、かつ、実質的に光透過性を有しない材料による前記リング部の成形とのうち一方を行った後、その成形した前記ボタンベース部または前記リング部の上に接触するように前記ボタンベース部と前記リング部のうち未成形の方の材料を導入して、その未成形の前記ボタンベース部または前記リング部を成形することにより、前記回転軸を中心とする略円筒形の前記操作部を有する前記ボタンベース部と、前記操作部の外周面を覆い、かつ、その操作部に対して固着する前記リング部とを一体的に形成し、
前記天面部を光透過性を有する材料によって前記ボタンベース部および前記リング部とは別体に形成し、その形成した天面部を、前記回転軸方向に沿った前記操作部および前記リング部の一方端部を覆い、かつ、前記リング部の前記天面部側の端面に密着するように前記ボタンベース部に装着する、ダイアルボタンの製造方法。
【発明の詳細な説明】
【技術分野】
【０００１】
本発明は、ダイアルボタンおよびその製造方法に関するものである。
【背景技術】
【０００２】
従来、種々の家電製品（ミシンなど）や各種装置に取り付けられるダイアルボタン（操作ダイアル）が知られている（たとえば、特許文献１参照）。
【０００３】
図８は、従来の一例によるダイアルボタンの構造を示した斜視図であり、図９は、その従来のダイアルボタンの分解斜視図である。図８を参照して、従来の一例によるダイアルボタン５０１は、回転軸５０２を中心として回転操作されるように構成されている。この従来のダイアルボタン５０１は、回転軸５０２を中心として図９中の矢印方向へ回転操作可能に操作パネル（図示せず）に設けられるボタンベース部５０３を備えている。ボタンベース部５０３は、回転操作時に径方向外側から把持される操作部５０４を有しており、この操作部５０４は、回転軸５０２を中心とする略円筒形状に形成されている。また、操作部５０４の外周面を覆うように、回転操作時に滑り止めとして機能するゴム製のリング部５０５が設けられている。このリング部５０５は、ボタンベース部５０３とは別体に略円筒形状に形成されており、図９に示すように、回転軸５０２方向に沿ってボタンベース部５０３の操作部５０４の外周面に対して嵌め合わせるようにして装着される。
【特許文献１】特開２００１−１５７７８６号公報
【発明の開示】
【発明が解決しようとする課題】
【０００４】
しかしながら、図８に示した従来のダイアルボタン５０１では、ボタンベース部５０３と別体に形成されたリング部５０５がボタンベース部５０３の操作部５０４の外周面に嵌め合わせるようにして装着されているので、リング部５０５の形状誤差やリング部５０５とボタンベース部５０３の操作部５０４との係合不良などによってリング部５０５がボタンベース部５０３の操作部５０４の外周面に対して波打った状態で装着されるという不都合が生じる場合がある。これにより、ダイアルボタン５０１の意匠性が損なわれるという問題点がある。また、従来のダイアルボタン５０１では、リング部５０５をボタンベース部５０３と別体に形成しているので、リング部５０５がボタンベース部５０３の操作部５０４からずれる場合があるという問題点がある。
【０００５】
本発明は、上記のような課題を解決するためになされたものであり、その目的は、操作部に滑り止めのリング部を設ける場合にも、意匠性が損なわれるのを抑制するとともに、リング部のずれを抑制することが可能なダイアルボタンを提供することである。
【課題を解決するための手段】
【０００６】
上記目的を達成するために、この発明のダイアルボタンは、所定の回転軸を中心として回転操作可能に操作パネルに設けられるとともに、その回転操作時に径方向外側から把持される操作部が形成されているボタンベース部と、前記ボタンベース部の操作部の外周面を覆うように、前記ボタンベース部と異なる材料で、かつ、前記ボタンベース部より柔軟な材料によって形成され、回転操作時に滑り止めとして機能するリング部と、前記回転軸方向に沿った前記ボタンベース部の前記操作部および前記リング部の一方端側を覆うように配置された天面部とを備え、前記ボタンベース部は、実質的に光透過性を有しない材料によって形成され、そのボタンベース部の前記操作部は、前記回転軸を中心とする略円筒形状に形成され、前記リング部は、前記操作部の径方向外側に配置され、前記回転軸を中心とする略円筒形状に形成されているとともに、実質的に光透過性を有しない材料によって前記操作部に対して固着するように前記ボタンベース部と一体成形され、前記天面部は、光透過性を有する材料によって前記ボタンベース部および前記リング部とは別体に形成され、前記リング部の前記天面部側の端面に密着するように設けられている。
【０００７】
この発明のダイアルボタンでは、上記のように、滑り止めのリング部がボタンベース部の操作部に対して固着するようにボタンベース部と一体成形されていることによって、ボタンベース部と別体に形成されたリング部をボタンベース部の操作部に嵌め合わすようにして装着させる場合と異なり、リング部の形状誤差やリング部とボタンベース部の操作部との係合不良などによってリング部がボタンベース部の操作部の外周面に対して波打った状態で装着されるという不都合が生じるのを抑制することができる。これにより、ダイアルボタンの意匠性が損なわれるのを抑制することができる。また、滑り止めのリング部がボタンベース部の操作部に固着しているので、ボタンベース部の操作部に対するリング部のずれが生じるのを抑制することができる。
【０００８】
また、このダイアルボタンでは、ダイアルボタンの背後に光源を配置して、その光源からの光を光透過性を有する材料からなる天面部を介して前面側へ照射させることができるとともに、その際、ボタンベース部が実質的に光透過性を有しない材料からなることによって、ボタンベース部の何処かの領域から光漏れが発生するという不都合が生じるのを抑制することができる。
【０００９】
また、このダイアルボタンでは、リング部がボタンベース部より柔軟な材料からなることに起因して、天面部と実質的に光透過性を有しないリング部の端面とを良好に密着させることができる。これにより、ボタンベース部と別体に形成した天面部をボタンベース部に装着する場合にも、リング部と天面部との境界部から光漏れが生じるのを抑制することができる。
【００１０】
また、上記ダイアルボタンは、好ましくは、ボタンベース部またはリング部の一方を成形した後、その一方の上に接触するようにボタンベース部またはリング部の他方の材料を導入するとともに、導入した材料を用いてボタンベース部またはリング部の他方を成形することによって得られる。このようにすれば、容易に、リング部とボタンベース部とを一体成形することができる。
【００１１】
この場合において、好ましくは、ボタンベース部の操作部は、リング部より厚肉に形成されている。このように構成すれば、ボタンベース部の操作部の強度を向上させることができる。
【００１２】
また、上記ダイアルボタンの製造方法としては、実質的に光透過性を有しない材料による前記ボタンベース部の成形と前記ボタンベース部の材料よりも柔軟で、かつ、実質的に光透過性を有しない材料による前記リング部の成形とのうち一方を行った後、その成形した前記ボタンベース部または前記リング部の上に接触するように前記ボタンベース部と前記リング部のうち未成形の方の材料を導入して、その未成形の前記ボタンベース部または前記リング部を成形することにより、前記回転軸を中心とする略円筒形の前記操作部を有する前記ボタンベース部と、前記操作部の外周面を覆い、かつ、その操作部に対して固着する前記リング部とを一体的に形成し、前記天面部を光透過性を有する材料によって前記ボタンベース部および前記リング部とは別体に形成し、その形成した天面部を、前記回転軸方向に沿った前記操作部および前記リング部の一方端部を覆い、かつ、前記リング部の前記天面部側の端面に密着するように前記ボタンベース部に装着する製造方法が好ましい。この製造方法によれば、容易に、リング部とボタンベース部とを一体成形することができる。
【発明の効果】
【００１３】
以上説明したように、本発明によるダイアルボタンでは、操作部に滑り止めのリング部を設ける場合にも、意匠性が損なわれるのを抑制するとともに、リング部のずれを抑制することができる。
【発明を実施するための最良の形態】
【００１４】
以下、本発明の実施形態を図面を参照して説明する。
【００１５】
図１は、本発明の一実施形態によるダイアルボタンを装置の操作パネルに取り付けた状態を示した側面図である。図２、図３および図４は、それぞれ、図１に示した一実施形態によるダイアルボタンの斜視図、分解斜視図および上面図である。図５は、図４に示したダイアルボタンの１００−１００線に沿った断面図である。図６は、図１に示した一実施形態によるダイアルボタンのボタンベース部の上面図であり、図７は、図６に示したボタンベース部の２００−２００線に沿った断面図である。まず、図１〜図７を参照して、本発明の一実施形態によるダイアルボタンの構造について説明する。
【００１６】
本実施形態によるダイアルボタン１は、図１に示すように、各種装置（例えば、エンコーダ装置など）の操作パネル３００に設けられる操作ダイアルとして用いられるものであり、操作パネル３００の盤面から突出するように設置される。そして、ダイアルボタン１は、後述する回転軸５を中心として回転操作されるように構成されている。なお、本実施形態の説明では、図１における上側および下側をそれぞれ上方向（上側）および下方向（下側）として説明する。
【００１７】
また、ダイアルボタン１は、ボタンベース部２と、リング部３と、天面部４とを備えている。ボタンベース部２は、図６および図７に示すように、回転軸５と、円筒部６と、連結部７と、上面部１１と、操作部１４とを有している。そして、ボタンベース部２は、回転軸５を中心として図６中の矢印方向に回転操作可能に操作パネル３００に設けられる。また、円筒部６は、回転軸５を中心軸としてその周りに略円筒形状に形成されている。ボタンベース部２が操作パネル３００に設けられる際には、図１および図２に示すように、上記円筒部６の中間部から下側の領域が操作パネル３００内に設けられた略円筒形状の導光部材３５０内に収容されるように設置される。このように設置された状態で、導光部材３５０がダイアルボタン１および導光部材３５０の背後（図１で下方）に配置される図示しない光源からの光をダイアルボタン１の天面部４へ導くように構成されている。
【００１８】
上記回転軸５と円筒部６の内周面とは、図３および図６に示すように、回転軸５から円筒部６の径方向に延びる３つの連結部７によって結合されている。この３つの連結部７は、それぞれ、回転軸５を中心として約１２０°間隔の等間隔で配置されている。また、円筒部６の周面には、等間隔で３つの開口部８が形成されており、この３つの開口部８内にそれぞれ下方へ延びる突起部９が形成されている。この突起部９は、ボタンベース部２を操作パネル３００に設置する際、操作パネル３００内の被係合部（図示せず）に対して係合するように構成されている。また、円筒部６の内周面の３つの連結部７から所定の間隔を隔てた位置には、それぞれ、係止リブ１０（図６参照）が突設されている。
【００１９】
また、上面部１１は、円筒部６の上端から円筒部６の径方向外側に広がるように延出されている。この上面部１１は、回転軸５に対して実質的に垂直になるように形成されているとともに、円筒部６の径方向外側に所定の幅を有する略円環形状に形成されている。上面部１１には、１２個の円形の貫通孔１２が一定の間隔を隔てながら形成されている。すなわち、１２個の貫通孔１２は、回転軸５方向から見て円筒部６の周囲に等間隔で円周状に配置されている。また、上面部１１の貫通孔１２の回転軸５側の領域には、切欠部１３が設けられている。この切欠部１３は、円周状に配置された１２個の貫通孔１２の内、３つ置きに対応するように設けられている。
【００２０】
本実施形態では、操作部１４は、上面部１１の外周縁全体から下方に延出されており、回転軸５を中心とする略円筒形状に形成されている。この操作部１４は、ダイアルボタン１の回転操作時に操作者によって径方向外側から把持されるものである。そして、この操作部１４は、円錐台形状の外形を有しており、下方へ行くにしたがって径方向外側へわずかに広がるように構成されている。すなわち、操作部１４の外周面は、下方へ行くにしたがって径方向外側へ広がるテーパー状に形成されている。また、上記のように構成されたボタンベース部２は、光透過性を有しない黒色のＡＢＳ樹脂などの樹脂材料によって一体成形されている。
【００２１】
リング部３は、回転操作時に滑り止めとして機能するものである。このリング部３は、ボタンベース部２の操作部１４の外周面を覆うように形成されており、回転軸５を中心とする略円筒形状に形成されている。また、リング部３は、操作部１４の形状を反映して、下方へ行くにしたがって径方向外側へわずかに広がるように形成されているとともに、その外周面には滑り止め機能を向上させるための凹凸形状が形成されている。
【００２２】
そして、本実施形態では、リング部３は、後述する二色成形法（二重成形法）によりボタンベース部２の操作部１４に対して固着するようにボタンベース部２と一体成形されている。そして、本実施形態によるリング部３は、ボタンベース部２の材料（ＡＢＳ樹脂など）と異なる材料で、かつ、ボタンベース部２より柔軟な材料であるゴム材によって形成されている。また、リング部３は、光透過性を有しない黒色のゴム材によって形成されている。
【００２３】
また、本実施形態では、図４および図５に示すように、天面部４は円盤状に形成されるとともに、回転軸５方向に沿ったボタンベース部２の操作部１４およびリング部３の上端側を覆うように配置されている。この天面部４は、ＰＣ（ポリカーボネート）やＰＭＭＡ（ポリメタクリル酸メチル）などの光透過性を有する樹脂材料によって、ボタンベース部２およびリング部３と別体に形成されており、ボタンベース部２の上面部１１側からボタンベース部２に対して装着されている。そして、本実施形態では、天面部４は、その周縁部近傍の下面がリング部３の天面部４側の端面に密着するようにボタンベース部２に対して装着される。
【００２４】
天面部４の上面側は、遮光性塗料によって塗装されているとともに、その塗装が局所的に除去されることによって１２個の小円形の光透過部４ａが形成されている。天面部４では、この１２個の光透過部４ａから光が照射されるように構成されている。また、１２個の光透過部４ａは、天面部４の上面の周縁に沿って円周状に等間隔に並ぶように配置されている。そして、図１に示すようにダイアルボタン１が操作パネル３００に設置された状態で、ダイアルボタン１の背後（図１で下方）に配置される光源（図示せず）からの光が導光部材３５０によって導かれて天面部４に入射されると、天面部４の光透過部４ａのみを介して前面側（図１で上方）へ光が照射される一方、遮光性塗料で塗装された天面部４の上面の光透過部４ａ以外の領域からは前面側へ光が照射されないように構成されている。
【００２５】
また、天面部４の下面（ボタンベース部２側の面）には、図５に示すように、３つの第１位置決めリブ４ｂと、３つの係止部４ｃと、図示しない３つの第２位置決めリブとが突設されている。なお、図５では、３つの第１位置決めリブ４ｂの内、２つのみが表されているとともに、３つの係止部４ｃの内、１つのみが表されている。３つの第１位置決めリブ４ｂは、ボタンベース部２の回転軸５に対応する天面部４の中心の周囲に等間隔で配置されており、３つの係止部４ｃは、３つの第１位置決めリブ４ｂの外側の周囲に等間隔で配置されており、３つの第２位置決めリブ（図示せず）は、３つの係止部４ｃの外側の周囲に等間隔で配置されている。
【００２６】
第１位置決めリブ４ｂおよび第２位置決めリブ（図示せず）は、共に、天面部４をボタンベース部２の上面部１１側に装着する際、ボタンベース部２に対する天面部４の周方向の位置を設定するために設けられている。すなわち、天面部４をボタンベース部２の上面部１１側に装着する際、第１位置決めリブ４ｂ間の間隙にボタンベース部２の連結部７が挟み込まれるとともに、第２位置決めリブ（図示せず）がボタンベース部２の上面部１１の切欠部１３に嵌合することによって、ボタンベース部２に対する天面部４の周方向の位置が設定される。このように位置決めされることによって、天面部４の１２個の光透過部４ａは、ボタンベース部２の１２個の貫通孔１２に対応する位置にそれぞれ配置される。そして、上記した光の照射時には、導光部材３５０により導かれた光がボタンベース部２の貫通孔１２および天面部４の光透過部４ａを介して前面側へ照射される。
【００２７】
また、３つの係止部４ｃにはそれぞれ係止穴４ｄが設けられており、天面部４がボタンベース部２に装着される際、ボタンベース部２の円筒部６の内周面に突設された係止リブ１０に上記係止穴４ｄが係止されることによって、天面部４がボタンベース部２に対して固定される。なお、上記したように、天面部４は、上面側のみ遮光性塗料で塗装されており、天面部４の下面、第１位置決めリブ４ｂ、係止部４ｃおよび第２位置決めリブ（図示せず）は塗装されていない。
【００２８】
次に、本実施形態によるダイアルボタン１の製造プロセスについて説明する。
【００２９】
本実施形態では、ダイアルボタン１のボタンベース部２およびリング部３を二色成形法（二重成形法）を用いて一体成形する。具体的には、まず、第１の金型内に溶融状態の黒色のＡＢＳ樹脂を充填して固化させることによって、上記形状を有するボタンベース部２を射出成形する。その後、成形したボタンベース部２を第２の金型内に移す。そして、第２の金型内においてボタンベース部２の略円筒形状の操作部１４の外周面上に接触するように、溶融状態の黒色のゴム材を充填して固化させることによって、ボタンベース部２の操作部１４の径方向外側に回転軸５を中心とする略円筒形状のリング部３を射出成形する。これにより、リング部３が、ボタンベース部２の操作部１４に対して固着するようにボタンベース部２と一体成形される。
【００３０】
また、上記形状を有する天面部４を、ＰＣやＰＭＭＡなどの光透過性の樹脂材料を用いてボタンベース部２およびリング部３と別体に形成する。そして、天面部４の上面側のみを遮光性塗料によって塗装するとともに、その塗装を１２個の上記光透過部４ａの形成領域のみ局所的にレーザ光により除去する。そして、このように形成した天面部４をボタンベース部２の上面部１１側からボタンベース部２に嵌め合わせる。上記のようにして、本実施形態によるダイアルボタン１が作製される。
【００３１】
本実施形態では、上記のように、滑り止めのリング部３がボタンベース部２の操作部１４に対して固着するようにボタンベース部２と一体成形されていることによって、ボタンベース部２と別体に形成されたリング部をボタンベース部２の操作部１４に嵌め合わすようにして装着させる場合と異なり、リング部の形状誤差やリング部とボタンベース部２の操作部１４との係合不良などによってリング部がボタンベース部２の操作部１４の外周面に対して波打った状態で装着されるという不都合が生じるのを抑制することができる。これにより、ダイアルボタン１の意匠性が損なわれるのを抑制することができる。また、滑り止めのリング部３がボタンベース部２の操作部１４に固着しているので、ボタンベース部２の操作部１４に対するリング部３のずれが生じるのを抑制することができる。
【００３２】
また、本実施形態では、略円筒形状のボタンベース部２の操作部１４を、操作部１４の径方向外側に配置された略円筒形状のリング部３より厚肉に形成することによって、ボタンベース部２の操作部１４の強度を向上させることができる。
【００３３】
また、本実施形態では、ボタンベース部２の操作部１４およびリング部３の上端部側を覆うように配置される天面部４を光透過性を有する樹脂材料によってボタンベース部２およびリング部３とは別体に形成するとともに、ボタンベース部２を光透過性を有しない樹脂材料によって形成することにより、ダイアルボタン１の背後に配置した光源から導光部材３５０により導かれる光を天面部４の光透過部４ａを介して前面側へ照射させることができるとともに、その際、ボタンベース部２の何処かの領域から光漏れが発生するという不都合が生じるのを抑制することができる。
【００３４】
また、本実施形態では、リング部３をボタンベース部２より柔軟で、かつ、光透過性を有しない黒色のゴム材によって形成するとともに、天面部４をリング部３の天面部４側の端面に密着するようにボタンベース部２に装着することによって、リング部３がボタンベース部２より柔軟な材料からなることに起因して、天面部４と光透過性を有しないリング部３の端面とを良好に密着させることができる。これにより、ボタンベース部２と別体に形成した天面部４をボタンベース部２に装着する場合にも、リング部３と天面部４との境界部から光漏れが生じるのを抑制することができる。
【００３５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味及び範囲内でのすべての変更が含まれる。
【００３６】
たとえば、上記実施形態では、操作部１４を略円筒形状に形成したが、本発明はこれに限らず、操作部１４を上記以外の形状に形成してもよい。たとえば、円柱形状や円盤形状などに操作部１４を形成してもよい。
【００３７】
また、上記実施形態では、リング部３をゴム材によって形成したが、本発明はこれに限らず、ボタンベース部２と異なる材料で、かつ、ボタンベース部２より柔軟な材料であれば、ゴム材以外の種々の材料によってリング部３を形成してもよい。
【００３８】
また、上記実施形態では、ボタンベース部２を光透過性を有しない黒色のＡＢＳ樹脂によって形成するとともに、天面部４をＰＣやＰＭＭＡなどの光透過性を有する樹脂材料によってしたが、本発明はこれに限らず、ボタンベース部２および天面部４をそれぞれ上記以外の材料によって形成してもよい。
【００３９】
また、上記実施形態では、ボタンベース部２の操作部１４をリング部３より厚肉に形成したが、本発明はこれに限らず、ボタンベース部２の操作部１４の厚みをリング部３の厚み以下に形成してもよい。
【００４０】
また、上記実施形態では、天面部４をボタンベース部２と別体に形成したが、本発明はこれに限らず、天面部４をボタンベース部２と一体成形してもよい。
【００４１】
また、上記実施形態では、天面部４の上面側の遮光性塗料による塗装を局所的に除去することにより、１２個の小円形の光透過部４ａを円周状に並ぶように形成したが、本発明はこれに限らず、上記以外の形状の光透過部４ａを形成してもよい。また、輪形の光透過部を形成するとともに、その光透過部の内側に所定の絵や文字などを配置して、その絵や文字などを光透過部からの光によって浮かび上がらせるように構成してもよい。また、天面部４に遮光性塗料を塗装することなく、天面部４の上面全体から光が照射されるように構成してもよい。また、天面部４をボタンベース部２およびリング部３と別体に形成することによって、種々の形態に絵、文字などが描かれた天面部４や、各種形状に光透過部が形成された天面部４を準備しておき、ダイアルボタン１の用途に応じた天面部４を選択してボタンベース部２に装着することができる。これにより、ダイアルボタン１を種々のバリエーションに対応させることができる。
【図面の簡単な説明】
【００４２】
【図１】本発明の一実施形態によるダイアルボタンを装置の操作パネルに取り付けた状態を示した側面図である。
【図２】図１に示した一実施形態によるダイアルボタンの斜視図である。
【図３】図１に示した一実施形態によるダイアルボタンの分解斜視図である。
【図４】図１に示した一実施形態によるダイアルボタンの上面図である。
【図５】図４に示したダイアルボタンの１００−１００線に沿った断面である。
【図６】図１に示したダイアルボタンのボタンベース部の上面図である。
【図７】図６に示したボタンベース部の２００−２００線に沿った断面図である。
【図８】従来の一例によるダイアルボタンの構造を示した斜視図である。
【図９】図８に示した従来のダイアルボタンの分解斜視図である。
【符号の説明】
【００４３】
１  ダイアルボタン
２  ボタンベース部
３  リング部
４  天面部
５  回転軸
１４  操作部
３００  操作パネル
【図１】
0004561584.tif 000002
【図２】
0004561584.tif 000003
【図３】
0004561584.tif 000004
【図４】
0004561584.tif 000005
【図５】
0004561584.tif 000006
【図６】
0004561584.tif 000007
【図７】
0004561584.tif 000008
【図８】
0004561584.tif 000009
【図９】
0004561584.tif 000010